【手続補正書】
【提出日】平成17年5月31日(2005.5.31)
【手続補正１】
【補正対象書類名】明細書
【補正対象項目名】特許請求の範囲
【補正方法】変更
【補正の内容】
【特許請求の範囲】
【請求項１】
印刷装置で印刷された印刷用紙をフィニッシャ装置で折り処理が実行されるように、前記印刷装置で印刷されるべき印刷データを生成する印刷制御装置であって、
前記印刷装置で印刷された印刷用紙を複数の冊子に分け、各冊子が前記フィニッシャ装置で折り処理が実行される場合に、分冊ごとにページ順が続くように各ページのレイアウトを制御するレイアウト制御手段と、
前記フィニッシャ装置の識別情報を取得する取得手段と、
前記取得手段により取得された前記フィニッシャ装置の識別情報により特定される排紙属性に基づいて、分冊毎の印刷データの送信順を制御する送信順序制御手段と、
を備えることを特徴とする印刷制御装置。
【請求項２】
前記送信順序制御手段は、複数の冊子に分けて印刷装置で排紙されるよう製本印刷が要求されている場合に、更に製本の見開き方向の指定に基づいて、分冊毎の印刷データの送信順を制御することを特徴とする請求項１に記載の印刷制御装置。
【請求項３】
前記製本の見開き方向は、印刷設定のユーザインタフェースを介して指定されるものであり、前記印刷装置における排紙属性は出力すべき印刷装置毎に予め定められていることを特徴とする請求項２に記載の印刷制御装置。
【請求項４】
前記取得手段により取得された識別情報に対する排紙属性を予め有している複数の排紙属性から特定する特定手段を更に有し、
前記送信順制御手段は、前記特定手段により特定された排紙属性に基づいて、分冊毎の印刷データの送信順を制御することを特徴とする請求項１乃至３のいずれかに記載の印刷制御装置。
【請求項５】
アプリケーションにより生成された印刷データを中間コード形式に変換し、該変換された中間コード形式のデータと、前記印刷データの処理条件とを保存する中間データ変換手段と、
前記中間データ変換手段により保存された、中間コード形式に変換されたデータもしくは前記印刷データの処理条件を編集する編集手段と、
前記編集手段により編集されたデータに基づき、前記アプリケーションで生成する印刷データとは異なる印刷処理を実現する印刷データ及び処理条件を生成するデータ生成手段とを更に有することを特徴とする請求項１乃至４のいずれかに記載の印刷制御装置。
【請求項６】
製本印刷設定情報を入力するためのユーザインタフェースを提供するユーザインタフェース提供手段を更に有し、
前記レイアウト制御手段は、前記データ生成手段で生成された印刷データ及び印刷条件を、前記ユーザインタフェース提供手段により設定された製本印刷設定情報に従い、それぞれの冊子における各ページレイアウトを制御することを特徴とする請求項１乃至５のいずれかに記載の印刷制御装置。
【請求項７】
前記印刷装置の属性と前記フィニッシャ装置の属性に従って、面順設定情報と紙順設定情報を含む設定情報を取得する設定情報取得手段を更に有し、
前記面順設定情報は、先に印刷する印刷面が、前記折り処理により印刷用紙の内側と外側のいずれに対応するかを指定する情報であり、
前記紙順設定情報は、先に印刷する印刷用紙が、前記折り処理により冊子の外側と内側のいずれに対応するかを指定する情報であり、
前記レイアウト制御手段は、前記設定情報取得手段により取得される設定情報に基づき、前記印刷装置で印刷されるべき印刷面の順序を特定し、印刷データの各ページのレイアウトを制御することを特徴とする請求項１乃至６のいずれかに記載の印刷制御装置。
【請求項８】
印刷装置で印刷された印刷用紙をフィニッシャ装置で折り処理が実行されるように、前記印刷装置で印刷されるべき印刷データを生成する印刷制御方法であって、
前記印刷装置で印刷された印刷用紙を複数の冊子に分け、各冊子が前記フィニッシャ装置で折り処理が実行される場合に、分冊ごとにページ順が続くように各ページのレイアウトを制御するレイアウト制御工程と、
前記フィニッシャ装置の識別情報を取得する取得工程と、
前記取得工程により取得された前記フィニッシャ装置の識別情報により特定される排紙属性に基づいて、分冊毎の印刷データの送信順を制御する送信順序制御工程と、
を備えることを特徴とする印刷制御方法。
【請求項９】
前記送信順序制御工程は、複数の冊子に分けて印刷装置で排紙されるよう製本印刷が要求されている場合に、更に製本の見開き方向の指定に基づいて、分冊毎の印刷データの送信順を制御することを特徴とする請求項８に記載の印刷制御方法。
【請求項１０】
前記製本の見開き方向は、印刷設定のユーザインタフェースを介して指定されるものであり、前記印刷装置における排紙属性は出力すべき印刷装置毎に予め定められていることを特徴とする請求項９に記載の印刷制御方法。
【請求項１１】
前記取得工程により前記取得された識別情報に対する排紙属性を予め有している複数の排紙属性から特定する特定工程を更に有し、
前記送信順制御工程は、前記特定工程により特定された排紙属性に基づいて、分冊毎の印刷データの送信順を制御することを特徴とする請求項８乃至１０のいずれかに記載の印刷制御方法。
【請求項１２】
アプリケーションにより生成された印刷データを中間コード形式に変換し、該変換された中間コード形式のデータと、前記印刷データの処理条件とを保存する中間データ変換工程と、
前記中間データ変換工程により保存された、中間コード形式に変換されたデータもしくは前記印刷データの処理条件を編集する編集工程と、
前記編集工程により編集されたデータに基づき、前記アプリケーションで生成する印刷データとは異なる印刷処理を実現する印刷データ及び処理条件を生成するデータ生成工程とを更に有することを特徴とする請求項８乃至１１のいずれかに記載の印刷制御方法。
【請求項１３】
製本印刷設定情報を入力するためのユーザインタフェースを提供するユーザインタフェース提供工程を更に有し、
前記レイアウト制御工程は、前記データ生成工程で生成された印刷データ及び印刷条件を、前記ユーザインタフェース提供工程により設定された製本印刷設定情報に従い、それぞれの冊子における各ページレイアウトを制御することを特徴とする請求項８乃至１２のいずれかに記載の印刷制御方法。
【請求項１４】
前記印刷装置の属性と前記フィニッシャ装置の属性に従って、面順設定情報と紙順設定情報を含む設定情報を取得する設定情報取得工程を更に有し、
前記面順設定情報は、先に印刷する印刷面が、前記折り処理により印刷用紙の内側と外側のいずれに対応するかを指定する情報であり、
前記紙順設定情報は、先に印刷する印刷用紙が、前記折り処理により冊子の外側と内側のいずれに対応するかを指定する情報であり、
前記レイアウト制御工程は、前記設定情報取得工程により取得される設定情報に基づき、前記印刷装置で印刷されるべき印刷面の順序を特定し、印刷データの各ページのレイアウトを制御することを特徴とする請求項８乃至１３のいずれかに記載の印刷制御方法。
【請求項１５】
印刷装置で印刷された印刷用紙をフィニッシャ装置で折り処理が実行されるように、前記印刷装置で印刷されるべき印刷データを生成する印刷制御方法を実行するためのプログラムモジュールを記憶した記憶媒体であって、
前記印刷装置で印刷された印刷用紙を複数の冊子に分け、各冊子が前記フィニッシャ装置で折り処理が実行される場合に、分冊ごとにページ順が続くように各ページのレイアウトを制御するレイアウト制御モジュールと、
前記フィニッシャ装置の識別情報を取得する取得モジュールと、
前記取得モジュールにより取得された前記フィニッシャ装置の識別情報により特定される排紙属性に基づいて、分冊毎の印刷データの送信順を制御する送信順序制御モジュールと、
を備えることを特徴とする記憶媒体。
【請求項１６】
前記送信順序制御モジュールは、複数の冊子に分けて印刷装置で排紙されるよう製本印刷が要求されている場合に、更に製本の見開き方向の指定に基づいて、分冊毎の印刷データの送信順を制御することを特徴とする請求項１５に記載の記憶媒体。
【請求項１７】
前記製本の見開き方向は、印刷設定のユーザインタフェースを介して指定されるものであり、前記印刷装置における排紙属性は出力すべき印刷装置毎に予め定められていることを特徴とする請求項１６に記載の記憶媒体。
【請求項１８】
前記取得モジュールにより取得された識別情報に対する排紙属性を予め有している複数の排紙属性から特定する特定モジュールを更に有し、
前記送信順制御モジュールは、前記特定モジュールにより特定された排紙属性に基づいて、分冊毎の印刷データの送信順を制御することを特徴とする請求項１５乃至１７のいずれかに記載の記憶媒体。
【請求項１９】
アプリケーションにより生成された印刷データを中間コード形式に変換し、該変換された中間コード形式のデータと、前記印刷データの処理条件とを保存する中間データ変換モジュールと、
前記中間データ変換モジュールにより保存された、中間コード形式に変換されたデータもしくは前記印刷データの処理条件を編集する編集モジュールと、
前記編集モジュールにより編集されたデータに基づき、前記アプリケーションで生成する印刷データとは異なる印刷処理を実現する印刷データ及び処理条件を生成するデータ生成モジュールとを更に有することを特徴とする請求項１５乃至１８のいずれかに記載の記憶媒体。
【請求項２０】
製本印刷設定情報を入力するためのユーザインタフェースを提供するユーザインタフェース提供モジュールを更に有し、
前記レイアウト制御モジュールは、前記データ生成モジュールで生成された印刷データ及び印刷条件を、前記ユーザインタフェース提供モジュールにより設定された製本印刷設定情報に従い、それぞれの冊子における各ページレイアウトを制御することを特徴とする請求項１５乃至１９のいずれかに記載の記憶媒体。
【請求項２１】
前記印刷装置の属性と前記フィニッシャ装置の属性に従って、面順設定情報と紙順設定情報を含む設定情報を取得する設定情報取得モジュールを更に有し、
前記面順設定情報は、先に印刷する印刷面が、前記折り処理により印刷用紙の内側と外側のいずれに対応するかを指定する情報であり、
前記紙順設定情報は、先に印刷する印刷用紙が、前記折り処理により冊子の外側と内側のいずれに対応するかを指定する情報であり、
前記レイアウト制御モジュールは、前記設定情報取得モジュールにより取得される設定情報に基づき、前記印刷装置で印刷されるべき印刷面の順序を特定し、印刷データの各ページのレイアウトを制御することを特徴とする請求項１５乃至２０のいずれかに記載の記憶媒体。
【請求項２２】
印刷装置で印刷された印刷用紙をフィニッシャ装置で折り処理が実行されるように、前記印刷装置で印刷されるべき印刷データを生成する印刷制御装置であって、
前記印刷装置で印刷された印刷用紙を複数の冊子に分け、各冊子が前記フィニッシャ装置で折り処理が実行される場合に、分冊ごとにページ順が続くように各ページのレイアウトを制御するレイアウト制御手段と、
前記フィニッシャ装置の識別情報を取得する取得手段と、
前記取得手段により取得された前記フィニッシャ装置の識別情報により特定される排紙属性に基づいて、各分冊間のページ順が続くように各分冊毎の印刷データが前記印刷装置で印刷されるべく制御する印刷制御手段と、
を備えることを特徴とする印刷制御装置。
【請求項２３】
印刷装置で印刷された印刷用紙をフィニッシャ装置で折り処理が実行されるように、前記印刷装置で印刷されるべき印刷データを生成する印刷制御方法であって、
前記印刷装置で印刷された印刷用紙を複数の冊子に分け、各冊子が前記フィニッシャ装置で折り処理が実行される場合に、分冊ごとにページ順が続くように各ページのレイアウトを制御するレイアウト制御工程と、
前記フィニッシャ装置の識別情報を取得する取得工程と、
前記取得工程で取得された前記フィニッシャ装置の識別情報により特定される排紙属性に基づいて、各分冊間のページ順が続くように各分冊毎の印刷データが前記印刷装置で印刷されるべく制御する印刷制御工程と、
を備えることを特徴とする印刷制御方法。
【請求項２４】
印刷装置で印刷された印刷用紙をフィニッシャ装置で折り処理が実行されるように、前記印刷装置で印刷されるべき印刷データを生成する印刷制御方法を実行するためのプログラムモジュールを記憶した記憶媒体であって、
前記印刷装置で印刷された印刷用紙を複数の冊子に分け、各冊子が前記フィニッシャ装置で折り処理が実行される場合に、分冊ごとにページ順が続くように各ページのレイアウトを制御するレイアウト制御モジュールと、
前記フィニッシャ装置の識別情報を取得する取得モジュールと、
前記取得モジュールにより取得された前記フィニッシャ装置の識別情報により特定される排紙属性に基づいて、各分冊間のページ順が続くように各分冊毎の印刷データが前記印刷装置で印刷されるべく制御する印刷制御モジュールと、
を備えることを特徴とする記憶媒体。
【手続補正２】
【補正対象書類名】明細書
【補正対象項目名】発明の名称
【補正方法】変更
【補正の内容】
【発明の名称】印刷制御装置、印刷制御方法、記憶媒体
【手続補正３】
【補正対象書類名】明細書
【補正対象項目名】０００６
【補正方法】変更
【補正の内容】
【０００６】
すなわち、印刷装置で印刷された印刷用紙をフィニッシャ装置で折り処理が実行されるように、前記印刷装置で印刷されるべき印刷データを生成する印刷制御装置は、
前記印刷装置で印刷された印刷用紙を複数の冊子に分け、各冊子が前記フィニッシャ装置で折り処理が実行される場合に、分冊ごとにページ順が続くように各ページのレイアウトを制御するレイアウト制御手段と、
前記フィニッシャ装置の識別情報を取得する取得手段と、
前記取得手段により取得された前記フィニッシャ装置の識別情報により特定される排紙属性に基づいて、分冊毎の印刷データの送信順を制御する送信順序制御手段と、
を備えることを特徴とする。
【手続補正４】
【補正対象書類名】明細書
【補正対象項目名】０００７
【補正方法】変更
【補正の内容】
【０００７】
また、印刷装置で印刷された印刷用紙をフィニッシャ装置で折り処理が実行されるように、前記印刷装置で印刷されるべき印刷データを生成する印刷制御方法は、
前記印刷装置で印刷された印刷用紙を複数の冊子に分け、各冊子が前記フィニッシャ装置で折り処理が実行される場合に、分冊ごとにページ順が続くように各ページのレイアウトを制御するレイアウト制御工程と、
前記フィニッシャ装置の識別情報を取得する取得工程と、
前記取得工程により取得された前記フィニッシャ装置の識別情報により特定される排紙属性に基づいて、分冊毎の印刷データの送信順を制御する送信順序制御工程と、
を備えることを特徴とする。
【手続補正５】
【補正対象書類名】明細書
【補正対象項目名】０００８
【補正方法】変更
【補正の内容】
【０００８】
また、印刷装置で印刷された印刷用紙をフィニッシャ装置で折り処理が実行されるように、前記印刷装置で印刷されるべき印刷データを生成する印刷制御方法を実行するためのプログラムモジュールを記憶した記憶媒体は、
前記印刷装置で印刷された印刷用紙を複数の冊子に分け、各冊子が前記フィニッシャ装置で折り処理が実行される場合に、分冊ごとにページ順が続くように各ページのレイアウトを制御するレイアウト制御モジュールと、
前記フィニッシャ装置の識別情報を取得する取得モジュールと、
前記取得モジュールにより取得された前記フィニッシャ装置の識別情報により特定される排紙属性に基づいて、分冊毎の印刷データの送信順を制御する送信順序制御モジュールと、
を備えることを特徴とする。
また、印刷装置で印刷された印刷用紙をフィニッシャ装置で折り処理が実行されるように、前記印刷装置で印刷されるべき印刷データを生成する印刷制御装置は、
前記印刷装置で印刷された印刷用紙を複数の冊子に分け、各冊子が前記フィニッシャ装置で折り処理が実行される場合に、分冊ごとにページ順が続くように各ページのレイアウトを制御するレイアウト制御手段と、
前記フィニッシャ装置の識別情報を取得する取得手段と、
前記取得手段により取得された前記フィニッシャ装置の識別情報により特定される排紙属性に基づいて、各分冊間のページ順が続くように各分冊毎の印刷データが前記印刷装置で印刷されるべく制御する印刷制御手段と、
を備えることを特徴とする。
また、印刷装置で印刷された印刷用紙をフィニッシャ装置で折り処理が実行されるように、前記印刷装置で印刷されるべき印刷データを生成する印刷制御方法は、
前記印刷装置で印刷された印刷用紙を複数の冊子に分け、各冊子が前記フィニッシャ装置で折り処理が実行される場合に、分冊ごとにページ順が続くように各ページのレイアウトを制御するレイアウト制御工程と、
前記フィニッシャ装置の識別情報を取得する取得工程と、
前記取得工程で取得された前記フィニッシャ装置の識別情報により特定される排紙属性に基づいて、各分冊間のページ順が続くように各分冊毎の印刷データが前記印刷装置で印刷されるべく制御する印刷制御工程と、
を備えることを特徴とする。
また、印刷装置で印刷された印刷用紙をフィニッシャ装置で折り処理が実行されるように、前記印刷装置で印刷されるべき印刷データを生成する印刷制御方法を実行するためのプログラムモジュールを記憶した記憶媒体は、
前記印刷装置で印刷された印刷用紙を複数の冊子に分け、各冊子が前記フィニッシャ装置で折り処理が実行される場合に、分冊ごとにページ順が続くように各ページのレイアウトを制御するレイアウト制御モジュールと、
前記フィニッシャ装置の識別情報を取得する取得モジュールと、
前記取得モジュールにより取得された前記フィニッシャ装置の識別情報により特定される排紙属性に基づいて、各分冊間のページ順が続くように各分冊毎の印刷データが前記印刷装置で印刷されるべく制御する印刷制御モジュールと、
を備えることを特徴とする。
【手続補正６】
【補正対象書類名】明細書
【補正対象項目名】００６２
【補正方法】変更
【補正の内容】
【００６２】
以上説明したように、本実施例によると、複数の冊子に分けて製本印刷する際に、プリンタの属性（両面印刷属性、サドルステッチなどのフィニッシャー属性、排紙口属性）と製本の開き方向の設定に基づく冊子順設定に従い、重なって出力された複数の製本冊子のページが昇順に並ぶように、冊子の並び順を制御することが可能である。
【手続補正７】
【補正対象書類名】明細書
【補正対象項目名】００６３
【補正方法】変更
【補正の内容】
【００６３】
これにより、複数の冊子に分けて製本印刷を行う場合、プリンタの属性（両面印刷属性、サドルステッチなどのフィニッシャー属性、排紙口属性）や冊子の開き方向の設定によらず、重なって出力された複数の冊子のページが昇順に並ぶように制御することが可能となる。
【発明の効果】
以上説明したように、本発明によれば、印刷装置で印刷された印刷用紙をフィニッシャ装置で折り処理が実行されるように、前記印刷装置で印刷されるべき印刷データを生成する印刷制御装置において、フィニッシャ装置の識別情報により特定される排紙属性に基づく順序で分冊毎の印刷データの印刷を制御することにより、排紙された小冊子毎に向きを変更することなく最終的な製本印刷物を手に入れられるように、最適な製本印刷の面付け処理を行い、複数の冊子に分割して重ねて出力した製本冊子のページ順が昇順に並ぶように制御可能な印刷制御装置及びその制御方法を提供することが可能になる。